(57)【要約】【課題】  イオン導入機におけるアタッチメント接続用のコードを改良し、複数の箇所に対してイオン導入を施術できるようにし、かつ、従来技術におけるよりも広い区域にイオン導入を施術できるようにする。【解決手段】  符号１４は本発明を適用して構成した分岐接続コードである。その片方の端には「イオン導入機１のイオン導入コンセント１２に対して択一的に接続可能なイオン導入コンセント１２」が取り付けられ、その他方の端は二つに分岐していて、それぞれにコネクタ１４ａが取り付けられている。一方、２枚のイオン導入プレート１５には「前記コネクタ１４ａに適合するコネクタ１５ａ」が取り付けられている。このようにして、１基のイオン導入機１によって、２箇所（両頬）の比較的広い区域にイオン導入を施すことができる。【選択図】  図１
2006116116.tif 000002
【特許請求の範囲】
【請求項１】
美肌用イオン導入機と電極部材とを接続するコードであって、
イオン導入機（１）のイオン導入コンセント（１２）に対して択一的に接続可能なイオン導入プラグ（１３）と、
片方の端が上記イオン導入プラグ（１３）に接続され、他方の端付近が複数に分岐している分岐接続コード（１４）と、を具備していることを特徴とする、イオン導入機用接続コード。
【請求項２】
それぞれコネクタ（１５ａ）を設けられた複数枚のイオン導入プレート（１５）を備えており、
かつ、前記分岐接続コード（１４）の分岐端のそれぞれに、上記コネクタ（１５ａ）と択一的に接続可能なコネクタ（１４ａ）が取付けられていることを特徴とする、請求項１に記載したイオン導入機用接続コード。
【請求項３】
美肌用イオン導入機と電極部材とを接続するコードであって、
イオン導入機（１）のイオン導入コンセント（１２）に対して択一的に接続可能なイオン導入プラグ（１３）と、
片方の端が上記イオン導入プラグ（１３）に接続され、他方の端付近が多数に分岐している多岐接続コード（１７）と、を具備しており、
かつ、上記多岐接続コード（１７）の分岐端のそれぞれに、導電性の材料で構成されたクリップ（１７ａ）が取付けられていることを特徴とする、イオン導入機用接続コード。
【請求項４】
美肌用イオン導入機と電極部材とを接続するコードであって、
イオン導入機（１）のイオン導入コンセント（１２）に対して択一的に接続可能なイオン導入プラグ（１３）と、
片方の端が上記イオン導入プラグ（１３）に接続され、他方の端に中間コネクタ甲（１８）が接続された単芯コード（２０）と、
上記中間コネクタ甲に対して選択的に接続可能な中間コネクタ乙（１９）を備えた複数種類の電極部材と、を具備していることを特徴とする、イオン導入機用接続コード。
【発明の詳細な説明】
【技術分野】
【０００１】
本発明は、肌に接触させた電極導子にマイナス電圧を印加して溶剤を浸透させるイオン導入機に係り、特に、複数種類の電極導子を容易に取り扱うことができるように改良したイオン導入機用の接続コードに関するものである。
【背景技術】
【０００２】
図４は、公知のイオン導入機本体、およびその付属器具類の１例を描いた分解斜視図である。
イオン導入ローラ２は、ハンドル２ｂの先端部にローラ電極２ａを支持して成り、イオン導入コード２ｃが接続されている。
このイオン導入コード２ｃをイオン導入機本体１のイオン導入コンセント１２に接続するため、イオン導入プラグ１３が取り付けられている。
上記のイオン導入コンセント１２およびイオン導入プラグ１３は、特殊な嵌め合い部と特殊な電極配列とを有していて、他の一般の電気器具（例えばクリーナーやアイロン等）のコンセントやプラグには合わない。つまりイオン導入コンセント１２とイオン導入プラグ１３とは互いに択一的（選択的）に接続可能である。
【０００３】
超音波プローブ３も又、同様にイオン導入プラグ１３を備えている。
従って、この超音波プローブ３のイオン導入プラグ１３をイオン導入機本体１のイオン導入コンセント１２に接続することはできるが、イオン導入機本体以外の電気機器に接続することはできないようになっている。
上記のような構造であるから、イオン導入機本体１に対して、イオン導入ローラ２または超音波プローブ３の何れか任意のものを選んで接続することができる。
符号４はメインスイッチ、５は周波数調節ノブ、６は電圧調節ノブ、７はミリアンメータ、８は開始停止ボタン、９はタイマーボタン、１０は表示窓である。
【特許文献１】特開２００３−１９２１４号公報
【発明の開示】
【発明が解決しようとする課題】
【０００４】
図４に示した従来例の装置によっては、同時に１箇所だけしかイオン導入施術を行なうことができない。その上、イオン導入を施し得る面積が狭い。
施術可能面積が狭いことを補うため、イオン導入ローラ２を使用する際はハンドル２ｂを持つ手を動かしてローラ電極２ａを転がし、所望の区域にイオン導入を施す。
また、超音波プローブ３を使用する際も同様に、プローブ面を滑らせて所望の区域にイオン導入を施す。
上記のような手動操作を行なうには、相応の知識と経験とを要し、また、少なからず煩わしくもある。
すなわち、医療関係技術者（美容師，美顔師を含む）が操作する場合は、施術時間中、担当技術者は手を放すことができないので、人件費が割高になる。
また、クライアント自身が操作して自分の肌にイオン導入を施す場合は、煩わしい上に、予め受講するなり、自習するなりして知識経験を身につけなければならない。
【０００５】
上述のようにクライアント自身を煩わせるということは、これをイオン導入機器メーカーの立場から見れば市場開拓についてマイナス要素となる。また、医療関係技術者が操作する場合に手を放せないということは、医療関係の諸機関（美容室，美顔室を含む）に対する販売活動にとってマイナス要素となる。
本発明は以上のような事情に鑑みてなされたものであって、その目的とするところは、
イオン導入機本体に改造を加えることなく、簡単で安価な器具を用いて、同時に複数の箇所にイオン導入を施すことができる技術、および、同時に広い区域にイオン導入を施すことができる技術を提供するにある。
【課題を解決するための手段】
【０００６】
上記の目的を請求項１の発明に係るイオン導入機用コードの構成は、（図１参照）
美肌用イオン導入機と電極部材とを接続するコードであって、
イオン導入機（１）のイオン導入コンセント（１２）に対して択一的に接続可能なイオン導入プラグ（１３）と、
片方の端が上記イオン導入プラグ（１３）に接続され、他方の端付近が複数に分岐している分岐接続コード（１４）と、を具備していることを特徴とする。
【０００７】
以上に説明した請求項１の発明によれば、片方の端に接続されているイオン導入プラグをイオン導入機本体のイオン導入コンセントに接続し、複数に分岐した他方の端のそれぞれにイオン導入電極導子を取り付けて、同時に複数の箇所にイオン導入を施すことができる。
その上、イオン導入コンセントとイオン導入プラグとが択一的に接続可能であるから、過って他の電気機器に接続する虞れが無くて安全である。
【０００８】
請求項２の発明に係るイオン導入機用コードの構成は、前記請求項１の発明の構成要件に加えて、（図１参照）それぞれコネクタ（１５ａ）を設けられた複数枚のイオン導入プレート（１５）を備えており、
かつ、前記分岐接続コード（１４）の分岐端のそれぞれに、上記コネクタ（１５ａ）と択一的に接続可能なコネクタ（１４ａ）が取付けられていることを特徴とする。   
【０００９】
以上に説明した請求項２の発明によれば、複数枚のイオン導入プレートに電圧を印加して、同時に複数の区域にイオン導入を施すことができる。 
【００１０】
請求項３の発明に係るイオン導入機用コードの構成は、（図２参照）美肌用イオン導入機と電極部材とを接続するコードであって、
イオン導入機（１）のイオン導入コンセント（１２）に対して択一的に接続可能なイオン導入プラグ（１３）と、
片方の端が上記イオン導入プラグ（１３）に接続され、他方の端付近が多数に分岐している多岐接続コード（１７）と、を具備しており、
かつ、上記多岐接続コード（１７）の分岐端のそれぞれに、導電性の材料で構成されたクリップ（１７ａ）が取付けられていることを特徴とする。
【００１１】
以上に説明した請求項３の発明によれば、イオン導入機本体のイオン導入コンセントに対して本発明に係るコードのイオン導入プラグを接続するとともに、
多数のクリップを、広い面積を有する電極部材（例えば溶液に浸したガーゼ製マスク）
の周囲に挟み付けて、広い区域にイオン導入を施すことができる。
その上、イオン導入コンセントとイオン導入プラグとが択一的に接続可能であるから、過って他の電気機器に接続する虞れが無くて安全である。
【００１２】
請求項４の発明に係るイオン導入機用接続コードの構成は、（図３参照）美肌用イオン導入機と電極部材とを接続するコードであって、
イオン導入機（１）のイオン導入コンセント（１２）に対して択一的に接続可能なイオン導入プラグ（１３）と、
片方の端が上記イオン導入プラグ（１３）に接続され、他方の端に中間コネクタ甲（１８）が接続された単芯コード（２０）と、
上記中間コネクタ甲に対して選択的に接続可能な中間コネクタ乙（１９）を備えた複数種類の電極部材と、を具備していることを特徴とする、
【００１３】
以上に説明した請求項４の発明によれば、複数種類の電極部材のそれぞれに設けられている中間コネクタ乙を、交互に中間コネクタ甲に着脱して、任意の電極部材を使用したイオン導入を施術することができる。子の場合、イオン導入プラグと中間コネクタ甲とを繋いでいるコードは交換を要せず、中間コネクタ乙よりも末端のコードだけを取り替えれば足りるので、操作が容易である。
【発明の効果】
【００１４】
請求項１の発明によれば、片方の端に接続されているイオン導入プラグをイオン導入機本体のイオン導入コンセントに接続し、複数に分岐した他方の端のそれぞれにイオン導入電極導子を取り付けて、同時に複数の箇所にイオン導入を施すことができる。
その上、イオン導入コンセントとイオン導入プラグとが択一的に接続可能であるから、過って他の電気機器に接続する虞れが無くて安全である。      
【００１５】
請求項２の発明によれば、複数枚のイオン導入プレートに電圧を印加して、同時に複数の区域にイオン導入を施すことができる。        
【００１６】
請求項３の発明によれば、イオン導入機本体のイオン導入コンセントに対して本発明に係るコードのイオン導入プラグを接続するとともに、
多数のクリップを、広い面積を有する電極部材（例えば溶液に浸したガーゼ製マスク）
の周囲に挟み付けて、広い区域にイオン導入を施すことができる。
その上、イオン導入コンセントとイオン導入プラグとが択一的に接続可能であるから、過って他の電気機器に接続する虞れが無くて安全である。        
【００１７】
請求項４の発明によれば、複数種類の電極部材のそれぞれに設けられている中間コネクタ乙を、交互に中間コネクタ甲に着脱して、任意の電極部材を使用したイオン導入を施術することができる。子の場合、イオン導入プラグと中間コネクタ甲とを繋いでいるコードは交換を要せず、中間コネクタ乙よりも末端のコードだけを取り替えれば足りるので、操作が容易である。        
【発明を実施するための最良の形態】
【００１８】
図１は本発明の１実施形態を示し、模式的に描いた外観斜視図である。
イオン導入機本体１にはイオン導入コンセント１２が設置されている。 
上記のイオン導入コンセント１２に対して択一的に接続可能な２個のイオン導入プラグ１３が設けられている。
２個のイオン導入プラグの内の片方はイオン導入ローラ２に接続されている。接続コードは、基本的には単芯で足りる。
該２個のイオン導入プラグの他方は、分岐接続コード１４を介して２個のコネクタ１４ａに接続されている。
【００１９】
一方、肌に当てて使用されるイオン導入プレート１５の２個が準備されていて、これらのイオン導入プレートのそれぞれには「前記コネクタ１４ａに適合するコネクタ１５ａ」が設けられている。
例えば、２個のイオン導入プレート１５のそれぞれを左右の頬に当てることによって、二つの区域（左頬と右頬と）を同時に施術することができる。
イオン導入を施している間、イオン導入プレート１５をテープで止めつけておくこともでき、また、クライアント本人に両手の指先で押さえさせておくこともできる。すなわち、医療関係技術者（美容師，美顔師を含む）が手を放し得る。
【００２０】
図２は、前掲の図１におけるよりも、広範な区域にイオン導入を行ない得るようにした実施形態の模式的な斜視図である。
符号１７を付して示したのは本発明（請求項３）を適用して構成した多岐接続コードである。
該多岐接続コードの１端には、イオン導入コンセント１２に対して択一的に接続可能なイオン導入プラグ１３が取り付けられている。
その反対側は多数（この例では４本）に分岐していて、それぞれに導電性のクリップ１７ａが接続されている。
一方、符号１６を付して示したのはガーゼ製のマスクであって、美肌溶液を含ませて顔を覆ってある。このガーゼマスクの周囲に前記クリップ１７ａを挟み付けて、イオン導入機１から出力された電圧を印加すると、顔の全面を同時に施術することができる。
この実施形態の多岐接続コード１７は、ガーゼマスクに限らず、含水性のシート状部材と組み合わせることにより、胸でも肩でも、比較的広い区域にイオン導入を行なうことができる。
【００２１】
図３は、１基のイオン導入機に対して多種類のイオン導入電極アタッチメントを、任意に、かつ迅速容易に着脱交換して使用できるように構成した実施形態の模式的な分解斜視図である。
単芯コード２０の１端には、イオン導入コンセント１２に対して択一的に接続可能なイオン導入プラグ１３が取り付けられており、その他方の端には中間コネクタ甲１８が取り付けられている。
３個の中間コネクタ乙１９は、上記の中間コネクタ甲に対して自在に着脱できる。しかし、これらのコネクタ甲，乙以外の一般のコードコネクタには接続できない。すなわち、
１個の中間コネクタ甲に対して複数個の中間コネクタ乙のみが選択的に接続可能な構造になっている。
【００２２】
符号２を付して示したのは、先に図４を参照して説明したイオン導入ローラである。
符号１５を付して示したのは、先に図１を参照して述べたイオン導入プレートである。
符号１６を付して示したのは、先に図２を参照して説明したガーゼマスクである。
これらのアタッチメントには、それぞれ中間コネクタ乙１９が接続されている。
以上のような構成であるから、施術者は、これらのアタッチメントの中から任意のものを選んでイオン導入機１に接続することができ、かつ、迅速容易に交換使用することができる。
しかも、これらのアタッチメント以外の電気器具を中間コネクタ甲１８に接続することはできず、かつ、これらのアタッチメントをイオン導入機１以外の電気機器に接続することはできないので、故意にも過失でも誤接続を生じることが無くて安全である。
【図面の簡単な説明】
【００２３】
【図１】本発明の１実施形態を示し、模式的に描いた外観斜視図。
【図２】前掲の図１におけるよりも、広範な区域にイオン導入を行ない得るようにした実施形態の模式的な斜視図。
【図３】１基のイオン導入機に対して多種類のイオン導入電極アタッチメントを、任意に、かつ迅速容易に着脱交換して使用できるように構成した実施形態の模式的な分解斜視図。
【図４】公知のイオン導入機本体、およびその付属器具類の１例を模式的に描いた分解斜視図。
【符号の説明】
【００２４】
１…イオン導入機本体
２…イオン導入ローラ
２ａ…ローラ電極
２ｂ…ハンドル
２ｃ…イオン導入コード
３…超音波プローブ
４…メインスイッチ
５…周波数調節ノブ
６…電圧調節ノブ
７…ミリアンメータ
８…開始停止ボタン
９…タイマーボタン
１０…表示窓
１１…基準電極コンセント
１２…イオン導入コンセント
１３…イオン導入プラグ
１４…分岐接続コード
１４ａ…コネクタ
１５…イオン導入プレート
１５ａ…コネクタ
１６…ガーゼマスク
１７…多岐接続コード
１７ａ…クリップ
１８…中間コネクタ甲
１９…中間コネクタ乙１９
２０…単芯コード２０
【図１】
2006116116.tif 000003
【図２】
2006116116.tif 000004
【図３】
2006116116.tif 000005
【図４】
2006116116.tif 000006